(57)【特許請求の範囲】
【請求項１】
撮影光路中に配置された第１状態、又は、前記撮影光路から退避した第２状態に切換え可能であり、前記第１状態にあるとき被写体からの光束を反射光と透過光とに分割する第１ミラーと、
撮影光路中に配置された第３状態、又は、前記撮影光路から退避した第４状態に切換え可能であり、前記第３状態にあるとき前記第１ミラーを透過した前記透過光を反射させる第２ミラーと、
前記第１ミラーが前記第１状態にあるとき前記反射光が入射され、前記第１ミラーが前記第２状態にあるとき前記被写体からの光束が入射されないファインダと、
前記第１ミラーが前記第１状態にあり、かつ、前記第２ミラーが前記第４状態にあるとき前記第１ミラーを透過した前記透過光を受光し、前記第１ミラーが前記第２状態にあり、かつ、前記第２ミラーが前記第４状態にあるとき前記被写体からの光束を受光し、前記第１ミラーが前記第１状態にあり、かつ、前記第２ミラーが前記第３状態にあるとき、前記透過光及び前記被写体からの光束を受光しない撮像素子と、
前記第１ミラー及び前記第２ミラーを制御する制御部とを含み、
前記制御部は、
半押し操作がされる前に、前記第１ミラーが前記第１状態になり、前記第２ミラーが前記第４状態になるように前記第１ミラー及び前記第２ミラーを制御し、
半押し操作がされた後、前記第１ミラーが前記第１状態になり、前記第２ミラーが前記第３状態になるように前記第１ミラー及び前記第２ミラーを制御し、
全押し操作がされた後、前記第１ミラーが前記第２状態になり、前記第２ミラーが前記第４状態になるように前記第１ミラー及び前記第２ミラーを制御することを特徴とする撮像装置。
【請求項２】
請求項１に記載の撮像装置において、
前記第１ミラーの前記反射光を用いて測光する測光センサと、
前記第２ミラーの前記反射光を用いて焦点調節状態の検出をする焦点検出部と、
前記測光センサの出力、前記焦点検出部の出力、及び、前記撮像素子の出力を用いて演算を行う演算部とを含み、
前記制御部は、
半押し操作がされる前に、前記撮像素子の出力を用いて演算を行うように前記演算部を制御し、
半押し操作がされた後、前記測光センサの出力、及び、前記焦点検出部の出力を用いて演算を行うように前記演算部を制御し、
全押し操作がされた後、前記撮像素子の出力を用いて演算を行うように前記演算部を制御することを特徴とする撮像装置。
【請求項３】
請求項２に記載の撮像装置において、
前記制御部は、
半押し操作がされる前に、前記撮像素子の出力を用いて測光処理及び像の解析処理を行うように前記演算部を制御し、
半押し操作がされた後、前記測光センサの出力を用いて測光処理及び像の解析処理を行い、前記焦点検出部の出力を用いて焦点検出処理を行うように前記演算部を制御し、
全押し操作がされた後、前記撮像素子の出力を用いて撮像された像を撮像画像として記録するように前記演算部を制御することを特徴とする撮像装置。
【請求項４】
撮影光路中に配置された第１状態、又は、前記撮影光路から退避した第２状態に切換え可能であり、前記第１状態にあるとき被写体からの光束を反射光と透過光とに分割する第１ミラーと、
撮影光路中に配置された第３状態、又は、前記撮影光路から退避した第４状態に切換え可能であり、前記第３状態にあるとき前記第１ミラーを透過した前記透過光を反射光と透過光とに分割する第２ミラーと、
前記第１ミラーが前記第１状態にあるとき前記反射光が入射され、前記第１ミラーが前記第２状態にあるとき前記被写体からの光束が入射されないファインダと、
前記第１ミラーが前記第１状態にあり、かつ、前記第２ミラーが前記第４状態にあるとき前記第１ミラーを透過した前記透過光を受光し、前記第１ミラーが前記第２状態にあり、かつ、前記第２ミラーが前記第４状態にあるとき前記被写体からの光束を受光し、前記第１ミラーが前記第１状態にあり、かつ、前記第２ミラーが前記第３状態にあるとき、前記第１ミラー及び前記第２ミラーを透過した前記透過光を受光する撮像素子と、
前記第１ミラー及び前記第２ミラーを制御する制御部とを含み、
前記制御部は、
半押し操作がされる前に、前記第１ミラーが前記第１状態になり、前記第２ミラーが前記第４状態になるように前記第１ミラー及び前記第２ミラーを制御し、
半押し操作がされた後、前記第１ミラーが前記第１状態になり、前記第２ミラーが前記第３状態になるように前記第１ミラー及び前記第２ミラーを制御し、
全押し操作がされた後、前記第１ミラーが前記第２状態になり、前記第２ミラーが前記第４状態になるように前記第１ミラー及び前記第２ミラーを制御することを特徴とする撮像装置。
【請求項５】
請求項４に記載の撮像装置において、
前記第１ミラーの前記反射光を用いて測光する測光センサと、
前記第２ミラーの前記反射光を用いて焦点調節状態の検出をする焦点検出部と、
前記測光センサの出力、前記焦点検出部の出力、及び、前記撮像素子の出力を用いて演算を行う演算部とを含み、
前記制御部は、
半押し操作がされる前に、前記撮像素子の出力を用いて演算を行うように前記演算部を制御し、
半押し操作がされた後、前記測光センサの出力、前記焦点検出部の出力、及び、前記撮像素子の出力を用いて演算を行うように前記演算部を制御し、
全押し操作がされた後、前記撮像素子の出力を用いて演算を行うように前記演算部を制御することを特徴とする撮像装置。
【請求項６】
請求項５に記載の撮像装置において、
前記制御部は、
半押し操作がされる前に、前記撮像素子の出力を用いて測光処理及び像の解析処理を行うように前記演算部を制御し、
半押し操作がされた後、前記測光センサの出力を用いて測光処理及び像の解析処理を行い、前記焦点検出部の出力を用いて焦点検出処理を行い、前記撮像素子の出力を用いて焦点検出処理を行うように前記演算部を制御し、
全押し操作がされた後、前記撮像素子の出力を用いて撮像された像を撮像画像として記録するように前記演算部を制御することを特徴とする撮像装置。
【発明の詳細な説明】
【技術分野】
【０００１】
本発明は、撮像装置および撮像装置の制御方法に関する。
【背景技術】
【０００２】
従来、ファインダー光学系による物体の観察と焦点検出ユニットによる焦点検出とを可能とする第１の状態と、画像表示手段による物体の観察と焦点検出ユニットによる焦点検出とを可能とする第２の状態とを切り替えるカメラが知られている（特許文献１参照）。
【０００３】
【特許文献１】特許第３６９７２５６号公報
【発明の開示】
【発明が解決しようとする課題】
【０００４】
特許文献１に開示されるカメラでは、被写体像を撮像し、撮像した像に基づく処理を実行する際に、常に光学ファインダーなどの観察光学系を用いて使用者が被写体像を観察可能とすることができない。
【課題を解決するための手段】
【０００５】
請求項１の発明による撮像装置は、撮影光路中に配置された第１状態、又は、前記撮影光路から退避した第２状態に切換え可能であり、前記第１状態にあるとき被写体からの光束を反射光と透過光とに分割する第１ミラーと、撮影光路中に配置された第３状態、又は、前記撮影光路から退避した第４状態に切換え可能であり、前記第３状態にあるとき前記第１ミラーを透過した前記透過光を反射させる第２ミラーと、前記第１ミラーが前記第１状態にあるとき前記反射光が入射され、前記第１ミラーが前記第２状態にあるとき前記被写体からの光束が入射されないファインダと、前記第１ミラーが前記第１状態にあり、かつ、前記第２ミラーが前記第４状態にあるとき前記第１ミラーを透過した前記透過光を受光し、前記第１ミラーが前記第２状態にあり、かつ、前記第２ミラーが前記第４状態にあるとき前記被写体からの光束を受光し、前記第１ミラーが前記第１状態にあり、かつ、前記第２ミラーが前記第３状態にあるとき、前記透過光及び前記被写体からの光束を受光しない撮像素子と、前記第１ミラー及び前記第２ミラーを制御する制御部とを含み、前記制御部は、半押し操作がされる前に、前記第１ミラーが前記第１状態になり、前記第２ミラーが前記第４状態になるように前記第１ミラー及び前記第２ミラーを制御し、半押し操作がされた後、前記第１ミラーが前記第１状態になり、前記第２ミラーが前記第３状態になるように前記第１ミラー及び前記第２ミラーを制御し、全押し操作がされた後、前記第１ミラーが前記第２状態になり、前記第２ミラーが前記第４状態になるように前記第１ミラー及び前記第２ミラーを制御することを特徴とする。
請求項４の発明による撮像装置は、撮影光路中に配置された第１状態、又は、前記撮影光路から退避した第２状態に切換え可能であり、前記第１状態にあるとき被写体からの光束を反射光と透過光とに分割する第１ミラーと、撮影光路中に配置された第３状態、又は、前記撮影光路から退避した第４状態に切換え可能であり、前記第３状態にあるとき前記第１ミラーを透過した前記透過光を反射光と透過光とに分割する第２ミラーと、前記第１ミラーが前記第１状態にあるとき前記反射光が入射され、前記第１ミラーが前記第２状態にあるとき前記被写体からの光束が入射されないファインダと、前記第１ミラーが前記第１状態にあり、かつ、前記第２ミラーが前記第４状態にあるとき前記第１ミラーを透過した前記透過光を受光し、前記第１ミラーが前記第２状態にあり、かつ、前記第２ミラーが前記第４状態にあるとき前記被写体からの光束を受光し、前記第１ミラーが前記第１状態にあり、かつ、前記第２ミラーが前記第３状態にあるとき、前記第１ミラー及び前記第２ミラーを透過した前記透過光を受光する撮像素子と、前記第１ミラー及び前記第２ミラーを制御する制御部とを含み、前記制御部は、半押し操作がされる前に、前記第１ミラーが前記第１状態になり、前記第２ミラーが前記第４状態になるように前記第１ミラー及び前記第２ミラーを制御し、半押し操作がされた後、前記第１ミラーが前記第１状態になり、前記第２ミラーが前記第３状態になるように前記第１ミラー及び前記第２ミラーを制御し、全押し操作がされた後、前記第１ミラーが前記第２状態になり、前記第２ミラーが前記第４状態になるように前記第１ミラー及び前記第２ミラーを制御することを特徴とする。
【発明の効果】
【０００６】
本発明によれば、被写体像を撮像し、撮像した像に基づく処理を実行する際に、常に観察光学系を用いて使用者が被写体像を観察可能な状態とすることができる。
【発明を実施するための最良の形態】
【０００７】
−第１の実施の形態−
図１は、本発明の一実施の形態によるカメラ１の構成図である。図１に示すカメラ１は、撮影レンズ２、メインミラー３、サブミラー４、ペンタプリズム５、接眼レンズ６、アイピースシャッター７、受光素子８、焦点検出装置９、撮像素子１０、制御装置１１、背面液晶ディスプレイ１２およびレンズ駆動装置１３を備える。
【０００８】
メインミラー３とサブミラー４は、結像光学系を構成する撮影レンズ２から入射される光束の光路中に配置されている。メインミラー３はハーフミラーであり、撮影レンズ２からの光束の一部を透過するとともに、その光束の他を反射してペンタプリズム５へ導く。メインミラー３は、制御装置１１の制御に応じてその位置を変更することにより、撮影レンズ２を介した光束の光路中から退避可能である。一方、サブミラー４は通常のミラーであり、メインミラー３を透過した光束を反射して焦点検出装置９へ導く。サブミラー４は、制御装置１１の制御に応じてその位置を変更することにより、メインミラー３とは独立して撮影レンズ２からの光束の光路中より進退可能に配置される。
【０００９】
ペンタプリズム５は、メインミラー３で反射された光束を接眼レンズ６へ導く。接眼レンズ６は、メインミラー３で反射されてペンタプリズム５により導かれた光束に基づく像を結像し、ファインダー像として撮影者に提示する。すなわち、ペンタプリズム５と接眼レンズ６は、撮影レンズ２を通って入射されてメインミラー３で反射された光束による像を撮影者が観察可能とする。アイピースシャッター７は、制御装置１１の制御により開閉制御される。撮影時には、接眼レンズ６からの不要な光が撮像素子１０へ入射されるのを防ぐため、制御装置１１によってアイピースシャッター７が閉じられる。
【００１０】
さらにペンタプリズム５は、メインミラー３で反射された光束の一部を受光素子８へ導く。受光素子８は、メインミラー３で反射されてペンタプリズム５により導かれた光束をプリズムやレンズ等の光学部材を介して受光し、その光強度に応じた受光信号を制御装置１１へ出力する。
【００１１】
焦点検出装置９は、撮影レンズ２による像面内に予め設定された複数の焦点検出エリア毎に、一対の被写体像を結像するための焦点検出光学系と、結像された一対の被写体像の光強度を検出するための一対のラインセンサとを有している。サブミラー４で反射された光束を焦点検出装置９が受光すると、焦点検出装置９は、各焦点検出エリアのラインセンサにより検出された被写体像の光強度に応じた受光信号（焦点検出信号）を制御装置１１へ出力する。
【００１２】
撮像素子１０は、撮影レンズ２からの光束を受光し、撮影レンズ２による像を撮像して撮像信号を制御装置１１へ出力する。なお、撮像素子１０により撮像が行われる際、サブミラー４は光路中から退避される。一方、メインミラー３はハーフミラーであるため、撮像時に光路中から退避してもしなくても良い。
【００１３】
制御装置１１は、メインミラー３およびサブミラー４の動作を制御するとともに、受光素子８から出力される受光信号、焦点検出装置９から出力される焦点検出信号、および撮像素子１０から出力される撮像信号に基づいて、様々な処理を行う。具体的な処理の内容については後で説明する。
【００１４】
背面液晶ディスプレイ１２は、制御装置１１の制御に応じて動作し、撮像画像などの各種画像を表示する。なお、不図示のレリーズボタンが撮影者によって全押し操作される前に撮像素子１０により被写体像を撮像し、得られた撮像画像を背面液晶ディスプレイ１２にリアルタイムで表示することもできる。このような撮像画像の表示は、ライブビューと呼ばれる。
【００１５】
レンズ駆動装置１３は、制御装置１１の制御に応じて撮影レンズ２を駆動し、撮影レンズ２の焦点調節を行う。なお、撮影レンズ２とレンズ駆動装置１３はカメラ１のレンズ部に格納されており、それ以外の各構成はカメラ１の本体部に格納されている。レンズ部は本体部から着脱可能である。
【００１６】
次に、本実施形態のカメラ１が行う動作について説明する。カメラ１は、制御装置１１の制御によりメインミラー３とサブミラー４の位置を変化させることで、動作状態に応じて３種類のモードを切り替えることができる。図１は第１モードの状態を示している。この第１モードでは、メインミラー３とサブミラー４が共に撮影レンズ２からの光束の光路中に配置されている。
【００１７】
第１モードでは、前述のように撮影レンズ２からの光束の一部がメインミラー３で反射されて接眼レンズ６へ導かれる。これにより、撮影レンズ２による像を撮影者がファインダーで観察可能な状態となる。この状態で、メインミラー３で反射された撮影レンズ２からの光束を受光素子８が受光すると、受光素子８から制御装置１１へ受光信号が出力される。制御装置１１は、こうして受光素子８から出力された受光信号を用いて、受光素子８で受光した光束に基づく所定の処理を行う。たとえば、明るさを検出するための光束の測光処理、主要被写体の位置や撮影シーンを検出するための像の解析処理などのうち、少なくとも１つの処理を行う。
【００１８】
また、図１に示す第１モードでは、撮影レンズ２からの光束のうちメインミラー３を透過した光束がサブミラー４で反射されて焦点検出装置９へ導かれる。この光束が焦点検出装置９により受光されると、焦点検出装置９から制御装置１１へ焦点検出信号が出力される。制御装置１１は、こうして焦点検出装置９から出力された焦点検出信号を用いて、焦点検出装置９で受光した光束に基づく焦点検出処理を行い、撮影レンズ２の焦点調節状態を検出する。この結果に基づいて、制御装置１１はレンズ駆動装置１３を制御し、撮影レンズ２の焦点調節を行う。
【００１９】
なお、制御装置１１が焦点検出信号を用いて行う焦点検出処理では、撮影者の指示や像の解析処理結果などに応じて、焦点検出エリアのいずれかがフォーカス対象エリアに設定される。そして、設定されたフォーカス対象エリアに対応する一対の被写体像のずれ量が焦点検出装置９から出力された焦点検出信号に基づいて求められる。このずれ量から、撮影レンズ２の焦点調節状態を示すデフォーカス量、具体的には予定焦点面と結像面とのずれ量とその方向を示すデフォーカス量が求められる。このような焦点検出処理の方法は瞳分割位相差検出方式と呼ばれている。
【００２０】
続いて第２モードについて説明する。図２は第２モードの状態を示している。この第２モードでは、メインミラー３は撮影レンズ２からの光束の光路中に配置されているが、サブミラー４は光路中から退避されている。
【００２１】
第２モードでは、前述の第１モードと同様に、撮影レンズ２からの光束がメインミラー３で反射されて接眼レンズ６へ導かれ、撮影レンズ２による像を撮影者がファインダーで観察可能な状態となる。この際、第１モードと同様に、受光素子８から制御装置１１へ受光信号を出力し、その受光信号に基づく処理を制御装置１１において実行してもよい。あるいは、受光素子８からの受光信号に基づく処理を制御装置１１において実行しないようにしてもよい。
【００２２】
また、図２に示す第２モードでは、サブミラー４が光路中から退避されているため、撮影レンズ２からの光束のうちメインミラー３を透過した光束が反射されずに撮像素子１０へ導かれる。この光束を撮像素子１０が受光することで、撮影レンズ２による像がメインミラー３を介して撮像素子１０により撮像され、撮像素子１０から制御装置１１へ撮像信号が出力される。
【００２３】
制御装置１１は、撮像素子１０から出力された撮像信号を用いて、撮像素子１０で撮像した像に基づく所定の処理を行う。たとえば、明るさを検出するための光束の測光処理、撮影レンズ２の焦点調節状態を検出するための焦点検出処理、主要被写体の位置や撮影シーンを検出するための像の解析処理などのうち、少なくとも１つの処理を行う。さらに、前述のライブビュー表示を背面液晶ディスプレイ１２において行っても良い。なお、このとき行う焦点検出処理は、撮影レンズ２の焦点調節状態を変化させながら、撮像素子１０により撮像された像のコントラストに応じた焦点評価値を求めることにより行われる。このような焦点検出処理の方法はコントラスト検出方式と呼ばれている。
【００２４】
最後に第３モードについて説明する。図３は第３モードの状態を示している。この第３モードでは、メインミラー３とサブミラー４が両方とも撮影レンズ２からの光束の光路中より退避されている。
【００２５】
第３モードでは、前述の第１モードおよび第２モードとは異なり、撮影レンズ２からの光束がメインミラー３で反射されないため、撮影レンズ２による像はファインダーで観察できない。また、受光素子８において撮影レンズ２からの光束が受光されないため、受光素子８からの受光信号に基づく処理を制御装置１１において実行することはできない。
【００２６】
また、図３に示す第３モードでは、メインミラー３とサブミラー４が共に光路中から退避されているため、撮影レンズ２からの光束が撮像素子１０へ直接導かれる。この光束が撮像素子１０により受光されて撮影レンズ２による像が撮像されると、撮像素子１０から制御装置１１へ撮像信号が出力される。制御装置１１は、こうして撮像素子１０から出力された撮像信号を用いて、前述の第２モードと同様の処理を行うことができる。さらに、撮影レンズ２からの光束が撮像素子１０へ直接導かれるため、本撮影画像、すなわち不図示のメモリカードに記録するための撮像画像を取得するのにも適している。
【００２７】
なお、前述の第２モードと第３モードを比較すると、第２モードでは撮影レンズ２からの光束がメインミラー３を透過した後に撮像素子１０に到達しているのに対して、第３モードでは撮影レンズ２からの光束がメインミラー３を透過せずに直接撮像素子１０に到達している。したがって、第２モードと第３モードでは、メインミラー３によって光束の光路長差が生じる。このような光路長差による影響を取り除くため、第２モードでは処理の結果に対して補正を行うようにする。すなわち、制御装置１１は、メインミラー３によって生じる光束の光路長差に基づいて、第２モードにおいてメインミラー３が光路中に配置された状態での処理の結果を補正する。
【００２８】
以上説明したように、第１モードおよび第２モードでは、撮影者がファインダー像を観察可能な状態で、制御装置１１により様々な処理を行う。したがって、従来の一眼レフカメラと同等の使用感を撮影者が得ることができる。
【００２９】
また、第１モードでは、撮影レンズ２からの光束を受光素子８および焦点検出装置９により受光する。制御装置１１は、こうして受光された光束に基づいて、光束の測光処理、焦点検出処理、像の解析処理などを行う。したがって、撮像素子１０を用いる他のモードと比べて、電力消費量を軽減することができる。また、瞳分割位相差検出方式により焦点検出処理を行うため、高速な焦点調節が可能となる。
【００３０】
一方、第２モードまたは第３モードでは、撮影レンズ２からの光束による像を撮像素子１０で撮像する。制御装置１１は、こうして撮像された像に基づいて上記のような処理を行う。一般に、撮像素子１０は受光素子８や焦点検出装置９のラインセンサよりも画素数が多いため、これらよりも解像度の高い像を得ることができる。したがって、第１モードに比べて精度の高い処理を行うことができる。
【００３１】
さらに第３モードでは、撮影レンズ２からの光束がメインミラー３を透過せずに撮像素子１０へ直接導かれるため、第２モードと比べてより大きな光量で撮影レンズ２による像を撮像素子１０において撮像することができる。したがって、撮影レンズ２による像の輝度が低い場合であっても精度の高い処理を行うことができるとともに、像本来の質感を損なうことなく撮像することができる。
【００３２】
カメラ１は、上記の各モードの切り替えを撮影動作中に連続的に行うことができる。たとえば、レリーズボタンが撮影者によって半押し操作される前は、第２モードに切り替えて、撮像素子１０により撮像された像に基づく光束の測光処理や像の解析処理を行う。レリーズボタンが半押し操作されると、第１モードに切り替えて、受光素子８により受光された光束に基づく光束の測光処理や像の解析処理を行うと共に、焦点検出装置９により受光された光束に基づく焦点検出処理を行う。レリーズボタンが全押し操作されると、第３モードに切り替えて、撮像素子１０により撮像された像を撮像画像として記録する。
【００３３】
なお、第１モードと第２モードの切り替えは、制御装置１１の制御に応じてサブミラー４の位置が変更されることによって行われる。すなわち、制御装置１１は、サブミラー４の位置を変更することにより、撮像素子１０によって撮像した像に基づく処理と、受光素子８から出力される受光信号または焦点検出装置９から出力される焦点検出信号に基づく処理とを、制御装置１１自身に選択的に行わせる選択手段として機能する。また、第２モードと第３モードの切り換えは、制御装置１１の制御に応じてメインミラー３の位置が変更されることによって行われる。
【００３４】
以上説明した第１の実施の形態によれば、次の作用効果を奏する。
（１）カメラ１は、結像光学系である撮影レンズ２からの光束を受光して撮影レンズ２による像を撮像する撮像素子１０と、撮影レンズ２からの光束の光路中に配置されてその光束の一部を撮像素子１０へ透過するとともにその光束の他を反射するメインミラー３と、メインミラー３で反射された光束による像をファインダー像として撮影者が観察可能とするペンタプリズム５および接眼レンズ６と、制御装置１１とを備える。第２モードにおいて、制御装置１１は、ペンタプリズム５および接眼レンズ６によってファインダー像を観察可能な状態で、メインミラー３を介して撮像素子１０によって撮像した像に基づいて所定の処理を行う。このようにしたので、観察光学系であるペンタプリズム５および接眼レンズ６を用いて使用者が被写体像を観察可能な状態で、その被写体像を撮像し、撮像した像に基づく処理を制御装置１１において実行することができる。
【００３５】
（２）第２モードにおいて、制御装置１１は、ペンタプリズム５および接眼レンズ６によってファインダー像を観察可能な状態で撮像素子１０によって撮像した像に基づいて、撮影レンズ２からの光束の測光、撮影レンズ２の焦点調節状態の検出、および撮影レンズ２による像の解析の少なくとも１つの処理を行う。このようにしたので、解像度の高い像に基づいて精度の高い処理を行うことができる。
【００３６】
（３）第１モードにおいて、受光素子８は、メインミラー３で反射された撮影レンズ２からの光束を受光し、制御装置１１は、受光素子８で受光した光束に基づく処理を行う。このようにしたので、電力消費量を軽減しつつ様々な処理を行うことができる。
【００３７】
（４）第３モードにおいて、制御装置１１は、メインミラー３が撮影レンズ２からの光束の光路中から退避した状態で、撮像素子１０で受光した光束に基づく処理を行う。このようにしたので、撮影レンズ２による像の輝度が低い場合であっても精度の高い処理を行うことができるとともに、像本来の質感を損なうことなく撮像することができる。
【００３８】
（５）第２モードにおいて、制御装置１１は、メインミラー３によって生じる光束の光路長差に基づいて、メインミラー３が光路中に配置された状態での処理の結果を補正する。このようにしたので、光路長差による処理結果への影響を取り除き、正しい処理結果を得ることができる。
【００３９】
（６）第１モードまたは第２モードにおいて、制御装置１１は、メインミラー３を透過した撮影レンズ２からの光束に基づいて、撮影レンズ２の焦点調節状態を求める。すなわち、第１モードでは、メインミラー３を透過してサブミラー４により反射された撮影レンズ２からの光束を焦点検出装置９により受光し、焦点検出装置９から制御装置１１へ焦点検出信号を出力する。この焦点検出信号に基づいて、制御装置１１は瞳分割位相差検出方式による焦点検出処理を行い、撮影レンズ２の焦点調節状態を求める。一方、第２モードでは、メインミラー３を透過した撮影レンズ２からの光束を撮像素子１０により受光し、撮像素子１０から制御装置１１へ撮像信号を出力する。この撮像信号に基づいて、制御装置１１はコントラスト検出方式による焦点検出処理を行い、撮影レンズ２の焦点調節状態を求める。このようにしたので、ファインダー像を観察可能な状態で撮影レンズ２の焦点調節を行うことができる。
【００４０】
（７）カメラ１は、メインミラー３とは独立して撮影レンズ２からの光束の光路中に進退可能に配置され、その光路中に位置する状態でメインミラー３を透過した光束を反射するサブミラー４と、サブミラー４によって反射された光束を受光して受光信号である焦点検出信号を出力する焦点検出装置９とを備える。第１モードと第２モードの切替において、制御装置１１は、サブミラー４の位置を変更することにより、撮像素子１０によって撮像した像に基づく処理と、焦点検出装置９から出力される焦点検出信号に基づく処理とを、制御装置１１自身に選択的に行わせる。このようにしたので、カメラ１の動作状態に応じて第１モードと第２モードとを素早く切り替え、それぞれのモードにおいて適切な処理を行うことができる。
【００４１】
−第２の実施の形態−
次に、本発明の他の実施の形態について説明する。図４は、本実施の形態によるカメラ１Ａの構成図である。このカメラ１Ａは、サブミラー４Ａを除いて、図１に示す第１の実施の形態によるカメラ１と同様の構成を有している。サブミラー４Ａは、図１のカメラ１のサブミラー４とは異なり、撮影レンズ２からの光束の一部を反射して他を通過するハーフミラーである。
【００４２】
本実施の形態によるカメラ１Ａは、前述のカメラ１と同様に、第１モード、第２モードおよび第３モードの各モードを動作状態に応じて切り替え可能である。第１モードでは、図４に示すようにメインミラー３とサブミラー４Ａが共に撮影レンズ２を介した光束の光路中に配置される。これにより、カメラ１と同様に、撮影レンズ２による像を撮影者がファインダーで観察可能な状態となる。また、メインミラー３で反射された撮影レンズ２からの光束が受光素子８で受光され、受光素子８から受光信号が出力されるとともに、サブミラー４Ａで反射された撮影レンズ２からの光束が焦点検出装置９で受光され、焦点検出装置９から焦点検出信号が出力される。この受光信号および焦点検出信号を用いて、制御装置１１により各種の処理が行われる。
【００４３】
さらに、サブミラー４Ａはハーフミラーであるため、撮影レンズ２からの光束のうちメインミラー３およびサブミラー４Ａを透過した光束が撮像素子１０へ導かれる。この光束を撮像素子１０が受光することで、撮影レンズ２による像がメインミラー３およびサブミラー４Ａを介して撮像素子１０により撮像され、撮像素子１０から制御装置１１へ撮像信号が出力される。この撮像信号を用いて、制御装置１１により、撮像素子１０で撮像した像に基づく各種の処理が行われる。
【００４４】
なお、第２モードと第３モードにおけるカメラ１Ａの動作は、第１の実施の形態によるカメラ１と同様であるため、説明を省略する。
【００４５】
以上説明した第２の実施の形態によるカメラ１Ａは、撮影レンズ２からの光束の一部を透過するサブミラー４Ａを備える。第１モードにおいて、撮像素子１０は、サブミラー４Ａを透過した光束を受光する。このようにしたので、サブミラー４Ａを光路中から退避させなくても、観察光学系であるペンタプリズム５および接眼レンズ６を用いて使用者が被写体像を観察可能な状態で、その被写体像を撮像素子１０により撮像し、撮像した像に基づく処理を制御装置１１において実行することができる。
【００４６】
なお、上記の各実施の形態では、撮像素子１０において撮影レンズ２による像を撮像した場合、コントラスト検出方式による焦点検出処理を行う例を説明したが、これを瞳分割位相差検出方式により行うようにしてもよい。すなわち、撮像素子１０の撮像画素配列中に、撮影レンズ２の瞳の異なる部分を通過した一対の光束を受光する焦点検出用画素を混在して配置するようにし、この焦点検出用画素の出力を用いて焦点調節状態を求めるようにしてもよい。
【００４７】
以上説明した各実施の形態や変形例はあくまで一例であり、発明の特徴が損なわれない限り、本発明はこれらの内容に限定されない。本発明の技術的思想の範囲内で考えられるその他の態様についても、本発明の範囲内に含まれる。
【図面の簡単な説明】
【００４８】
【図１】本発明の一実施の形態によるカメラの構成図である。
【図２】第２モードの状態を示す図である。
【図３】第３モードの状態を示す図である。
【図４】本発明の他の実施の形態によるカメラの構成図である。
【符号の説明】
【００４９】
１，１Ａ：カメラ
２：撮影レンズ
３：メインミラー
４，４Ａ：サブミラー
５：ペンタプリズム
６：接眼レンズ
８：受光素子
９：焦点検出装置
１０：撮像素子
１１：制御装置
【図１】
0005347269.tif 000002
【図２】
0005347269.tif 000003
【図３】
0005347269.tif 000004
【図４】
0005347269.tif 000005